(57)【要約】【課題】表示画像におけるグラデーションを軽減させる。【解決手段】ＷＳＬｊ消光期間において、最終段の走査線２１３を一旦オン電位（Ｖｏｎ）にした後に、電源線４１０の電源電位を高レベル電源電位（Ｖｃｃ＿Ｈ）に切り替える。これにより、電源線４１０の電位が急峻に上昇するため、駆動トランジスタの寄生容量および保持容量によるカップリングの影響を受ける。このため、最上段および最下段における発光素子の入力端子である第２ノード６６１および６６３の電位は上昇する。この場合において、発光素子の閾値電位（Ｖｔｈｅｌ＋Ｖｃａｔ）より第２ノード６６１および６６３の電位が高いため、それぞれの発光素子の輝度は大きくなる。これにより、電源電位の切り替えによる発光素子における発光量の増加量は、第１ノード６６１の発光素子に比べて第２ノード６６３の発光素子の方が大きくなる。【選択図】図１４
2010250267.tif 000002
【特許請求の範囲】
【請求項１】
複数の画素回路と、
前記複数の画素回路について連続する複数の行単位でグループ化して前記グループ単位で前記複数の画素回路に対して同じ電源電位を供給する電源線と、
前記グループに属する画素回路における発光素子を消光させるための消光期間において、前記電源電位を当該電源電位に比べて高い電位である高レベル電源電位に切り替えるために前記消光期間に係る前記グループに属する各画素回路に前記高レベル電源電位を供給する電源供給回路とを具備し、
前記複数の画素回路の各々は、
映像信号に相当する電圧を保持するための保持容量と、
前記電源線により供給された電源電位を受けることによって前記保持容量に保持された電圧に応じた電流を前記発光素子に供給する駆動トランジスタと、
前記駆動トランジスタから供給された電流に応じて発光する発光素子と、
前記消光期間において前記発光素子を消光させるための消光電位を前記駆動トランジスタのゲート端子に与えた後に、前記映像信号に相当する電圧を前記保持容量に書き込む書込みトランジスタと
を含む表示装置。
【請求項２】
前記電源供給回路は、前記消光期間において当該消光期間に係る前記グループに属する各画素回路のうち線順次走査により最後の消光対象となる行の画素回路における前記駆動トランジスタのゲート端子に前記消光電位が与えられた後に前記高レベル電源電位を供給する請求項１記載の表示装置。
【請求項３】
前記電源供給回路は、前記消光期間において当該消光期間に係る前記グループに属する各画素回路のうち線順次走査により最後の消光対象となる行の所定数前の行の画素回路における前記駆動トランジスタのゲート端子に前記消光電位が与えられた後に前記高レベル電源電位を供給する請求項１記載の表示装置。
【請求項４】
前記電源供給回路は、前記消光期間において前記電源電位を前記高レベル電源電位に切り替えることによって前記高レベル電源電位を前記電源線に供給する請求項１記載の表示装置。
【請求項５】
前記発光素子は、有機エレクトロルミネッセンス素子により構成される請求項１記載の表示装置。
【請求項６】
複数の画素回路と、
前記複数の画素回路について連続する複数の行単位でグループ化して前記グループ単位で前記複数の画素回路に対して同じ電源電位を供給する電源線と、
前記グループに属する画素回路における発光素子を消光させるための消光期間において、前記電源電位を当該電源電位に比べて高い電位である高レベル電源電位に切り替えるために前記消光期間に係る前記グループに属する各画素回路に前記高レベル電源電位を供給する電源供給回路とを具備し、
前記複数の画素回路の各々は、
映像信号に相当する電圧を保持するための保持容量と、
前記電源線により供給された電源電位を受けることによって前記保持容量に保持された電圧に応じた電流を前記発光素子に供給する駆動トランジスタと、
前記駆動トランジスタから供給された電流に応じて発光する発光素子と、
前記消光期間において前記発光素子を消光させるための消光電位を前記駆動トランジスタのゲート端子に与えた後に、前記映像信号に相当する電圧を前記保持容量に書き込む書込みトランジスタと
を含む電子機器。
【発明の詳細な説明】
【技術分野】
【０００１】
本発明は、表示装置に関し、特に発光素子を画素に用いた表示装置および電子機器に関する。
【背景技術】
【０００２】
発光素子として有機エレクトロスミネッセンス（ＥＬ：Electroluminescence）素子を用いた平面自発光型の表示装置の開発が近年盛んに行われている。この有機ＥＬ素子は、有機薄膜に電界をかけると発光するものであり、低電圧駆動により視認性もよいことから、表示装置の軽量薄膜化や低消費電力化などに寄与するものと期待されている。
【０００３】
この有機ＥＬ素子を用いた表示装置においては、画素回路を構成する駆動トランジスタによって有機薄膜に印加する電界の制御を行うが、この駆動トランジスタが有する閾値電圧および移動度には個体ごとにばらつきがある。このため、これらの個体差を補正するための閾値補正処理および移動度補正処理が必要となることから、このような補正処理の機能を備えた表示装置が考案されている。例えば、画素回路に供給する電源信号およびデータ信号をスイッチングさせることによって、画素回路を構成する駆動トランジスタの閾値電圧および移動度のばらつきに対する補正機能を備える表示装置が提案されている（例えば、特許文献１参照。）。
【先行技術文献】
【特許文献】
【０００４】
【特許文献１】特開２００８−３３１９３号公報（図４Ａ）
【発明の概要】
【発明が解決しようとする課題】
【０００５】
上述の従来技術では、画素回路を構成する駆動トランジスタの閾値電圧および移動度のばらつきを補正することができる。この場合、電源信号をスイッチングさせるため、電源信号を切り替えるためのドライバが１行ごとに必要となり、表示装置のコストが高くなる。これに対し、複数行ごとに電源信号を切り替える構成にすることによって、ドライバ数を削減することが考えられる。しかしながら、このような構成においては、電源信号の切り替えによらず、発光素子を消光させるため、発光素子の寄生容量などの影響によって発光素子を完全に消光させるのに時間を要する場合がある。このような場合には、表示画像にグラデーションが発生してしまうことがある。
【０００６】
本発明はこのような状況に鑑みてなされたものであり、表示画像におけるグラデーションを軽減させることを目的とする。
【課題を解決するための手段】
【０００７】
本発明は、上記課題を解決するためになされたものであり、その第１の側面は、複数の画素回路と、上記複数の画素回路について連続する複数の行単位でグループ化して上記グループ単位で上記複数の画素回路に対して同じ電源電位を供給する電源線と、上記グループに属する画素回路における発光素子を消光させるための消光期間において、上記電源電位を当該電源電位に比べて高い電位である高レベル電源電位に切り替えるために上記消光期間に係る上記グループに属する各画素回路に上記高レベル電源電位を供給する電源供給回路とを具備し、上記複数の画素回路の各々は、映像信号に相当する電圧を保持するための保持容量と、上記電源線により供給された電源電位を受けることによって上記保持容量に保持された電圧に応じた電流を上記発光素子に供給する駆動トランジスタと、上記駆動トランジスタから供給された電流に応じて発光する発光素子と、上記消光期間において上記発光素子を消光させるための消光電位を上記駆動トランジスタのゲート端子に与えた後に、上記映像信号に相当する電圧を上記保持容量に書き込む書込みトランジスタとを含む表示装置および電子機器である。これにより、１本の電源線に接続された複数の行の画素回路における発光素子を消光させるための消光期間において電源電位を高レベル電源電位に切り替えることによって、発光素子の入力端子の電位を一時的に上昇させるという作用をもたらす。
【０００８】
また、この第１の側面において、上記電源供給回路は、上記消光期間において当該消光期間に係る上記グループに属する各画素回路のうち線順次走査により最後の消光対象となる行の画素回路における上記駆動トランジスタのゲート端子に上記消光電位が与えられた後に上記高レベル電源電位を供給するようにしてもよい。これにより、１本の電源線に接続された複数の行の画素回路のうち最後の画素回路における駆動トランジスタのゲート端子に消光電位が与えられた後に、電源供給回路により高レベル電源電位を供給させるという作用をもたらす。
【０００９】
また、この第１の側面において、上記電源供給回路は、上記消光期間において当該消光期間に係る上記グループに属する各画素回路のうち線順次走査により最後の消光対象となる行の所定数前の行の画素回路における上記駆動トランジスタのゲート端子に上記消光電位が与えられた後に上記高レベル電源電位を供給するようにしてもよい。これにより、１本の電源線に接続された複数の行の画素回路のうち最後の消光対象となる行の所定数前の行の画素回路における上記駆動トランジスタのゲート端子に上記消光電位が与えられた後に、電源供給回路により高レベル電源電位を供給させるという作用をもたらす。
【００１０】
また、この第１の側面において、上記電源供給回路は、上記消光期間において上記電源電位を上記高レベル電源電位に切り替えることによって上記高レベル電源電位を上記電源線に供給するようにしてもよい。これにより、電源線を介して、電源電位を高レベル電源電位に切り替えさせるという作用をもたらす。
【００１１】
また、この第１の側面において、上記発光素子を、有機エレクトロルミネッセンス素子により構成するようにしてもよい。これにより、有機エレクトロルミネッセンス素子により発光させるという作用をもたらす。
【発明の効果】
【００１２】
本発明によれば、表示画像におけるグラデーションを軽減させるという優れた効果を奏し得る。
【図面の簡単な説明】
【００１３】
【図１】本発明の実施の形態の適用対象となる表示装置の基本構成例を示す概念図である。
【図２】表示装置１００における電源スキャナ（ＤＳＣＮ）４００を構成するドライバ４０１乃至４０３による電源信号の生成手法の一例を示す図である。
【図３】表示装置１００における水平セレクタ（ＨＳＥＬ）３００によるデータ線（ＤＴＬ）３１１乃至３１３に供給されるデータ信号の生成手法の一例を示す図である。
【図４】表示装置１００の基本動作の一例に関するタイミングチャートである。
【図５】表示装置１００における画素６００の構成例を模式的に示す回路図である。
【図６】表示装置１００における画素６００の基本動作の一例に関するタイミングチャートである。
【図７】ＴＰ８、ＴＰ１、ＴＰ２の期間にそれぞれ対応する画素６００の動作状態を模式的に示す回路図である。
【図８】ＴＰ３乃至ＴＰ５の期間にそれぞれ対応する画素６００の動作状態を模式的に示す回路図である。
【図９】ＴＰ６乃至ＴＰ８の期間にそれぞれ対応する画素６００の動作状態を模式的に示す回路図である。
【図１０】表示装置１００における消光期間ＴＰ１において第２ノード（ＮＤ２）６６０の電位が緩やかに低下する場合における画素６００の動作を例示するタイミングチャートである。
【図１１】表示装置１００における消光期間ＴＰ１において第２ノード（ＮＤ２）６６０の電位が緩やかに低下する場合における表示装置１００に表示される表示画像に関する図である。
【図１２】本発明の第１の実施の形態における電源スキャナ（ＤＳＣＮ）４００におけるドライバ４０１乃至４０３による電源線（ＤＳＬ）４１０に供給される電源信号の生成手法の一例を示す図である。
【図１３】本発明の第１の実施の形態における画素６００の動作の一例に関するタイミングチャートである。
【図１４】本発明の第１の実施の形態における表示装置１００において電源線を共有する画素６００における最上段および最下段の画素６００の第２ノード（ＮＤ２）６６０の電位変化を示すタイミングチャートである。
【図１５】本発明の第１の実施の形態における第２ノード（ＷＳＬ１）６６１および第２ノード（ＷＳＬｊ）６６３における発光素子６４０の発光量に関する図である。
【図１６】本発明の第２の実施の形態における画素６００の動作の一例に関するタイミングチャートである。
【図１７】本発明の第２の実施の形態における高レベル電源電位（Ｖｃｃ＿Ｈ）の供給タイミングの一例に関するタイミングチャートである。
【図１８】本発明の第２の実施の形態における表示画面に表示される輝度と走査線との関係の一例を示す図である。
【図１９】本発明の第３の実施の形態におけるテレビジョンセットを示す斜視図である。
【図２０】本発明の第３の実施の形態におけるデジタルスチルカメラを示す斜視図である。
【図２１】本発明の第３の実施の形態におけるノート型パーソナルコンピュータを示す斜視図である。
【図２２】本発明の第３の実施の形態における携帯端末装置を示す模式図である。
【図２３】本発明の第３の実施の形態におけるビデオカメラを示す斜視図である。
【発明を実施するための形態】
【００１４】
以下、本発明を実施するための形態（以下、実施の形態と称する）について説明する。説明は以下の順序により行う。
１．第１の実施の形態（表示制御：電源信号に高レベル電源電位を設けた例）
２．第２の実施の形態（表示制御：発光期間に高レベル電源電位に切り替える例）
３．第３の実施の形態（表示制御：電子機器への適用例）
【００１５】
＜１．第１の実施の形態＞
［表示装置の基本構成例］
図１は、本発明の実施の形態の適用対象となる表示装置の基本構成例を示す概念図である。
【００１６】
表示装置１００は、ライトスキャナ（ＷＳＣＮ：Write SCaNner）２００と、水平セレクタ（ＨＳＥＬ：Horizontal SELector）３００と、電源スキャナ（ＤＳＣＮ：Drive SCaNner）４００とを備える。さらに、この表示装置１００は、画素アレイ部５００を備える。この画素アレイ部５００は、ｎ×ｍの二次元マトリックス状に配列された複数の画素６００を備える。また、この表示装置１００には、走査線（ＷＳＬ：Write Scan Line）２１０と、データ線（ＤＴＬ：DaTa Line）３１０と、電源線（ＤＳＬ：Drive Scan Line）４１０とが配線されている。
【００１７】
走査線（ＷＳＬ）２１０および電源線（ＤＳＬ）４１０は、画素６００の各行に対してそれぞれ配線され、ライトスキャナ（ＷＳＣＮ）２００および電源スキャナ（ＤＳＣＮ）４００にそれぞれ接続される。データ線（ＤＴＬ）３１０は、画素６００の各列に対してそれぞれ配線され、水平セレクタ（ＨＳＥＬ）３００に接続される。また、この走査線（ＷＳＬ）２１０、データ線（ＤＴＬ）３１０および電源線（ＤＳＬ）４１０の各々は、画素６００の各々にそれぞれ接続される。
【００１８】
ライトスキャナ（ＷＳＣＮ）２００は、２次元マトリック状に配列された複数の画素６００を線順次走査するものである。このライトスキャナ（ＷＳＣＮ）２００は、データ線（ＤＴＬ）３１０から供給されるデータ信号を行単位により画素６００に書き込む。すなわち、ライトスキャナ（ＷＳＣＮ）２００は、データ線（ＤＴＬ）３１０からのデータ信号を画素６００に書き込むタイミングを行単位ごとに順次制御する。
【００１９】
このライトスキャナ（ＷＳＣＮ）２００は、そのデータ信号が書き込まれるタイミングを順次制御するための制御信号を生成する。このライトスキャナ（ＷＳＣＮ）２００は、データ信号を書き込むためのオン電位、データ信号の書き込みを停止させるためのオフ電位を制御信号として生成する。このライトスキャナ（ＷＳＣＮ）２００は、そのオフ電位として、画素６００を発光させるための第１オフ電位および画素６００の初期化によるデータ線（ＤＴＬ）３１０からの電流の漏れ込みを防止するための第２オフ電位を生成する。すなわち、このライトスキャナ（ＷＳＣＮ）２００は、オン電位、第１オフ電位および第２オフ電位のうちいずれか１つの電位を制御信号として生成する。また、ライトスキャナ（ＷＳＣＮ）２００は、その生成された制御信号を走査線（ＷＳＬ）２１０に供給する。
【００２０】
このライトスキャナ（ＷＳＣＮ）２００は、画素６００の各行にそれぞれ対応するドライバ２０１乃至２０５を備える。このドライバ２０１乃至２０５は、それぞれに対応する各行の画素６００に対して、データ線（ＤＴＬ）３１０から供給されるデータ信号を書き込むための制御信号を生成する。そして、このドライバ２０１乃至２０５は、その生成された制御信号を走査線（ＷＳＬ）２１１乃至２１５にそれぞれ供給する。
【００２１】
水平セレクタ（ＨＳＥＬ）３００は、映像信号の電位と、画素６００を構成する駆動トランジスタの閾値電圧に対する補正（閾値補正）を行うための基準信号の電位と、画素６００を消光させるための消光信号の電位（消光電位）とのいずれかを選択するものである。すなわち、この水平セレクタ（ＨＳＥＬ）３００は、映像信号、基準信号および消光信号のうちいずれか１つの信号を選択する。そして、この水平セレクタ（ＨＳＥＬ）３００は、その選択された信号をデータ信号としてデータ線（ＤＴＬ）３１０に供給する。また、水平セレクタ（ＨＳＥＬ）３００は、ライトスキャナ（ＷＳＣＮ）２００による線順次走査に基づいてデータ信号を切り替える。
【００２２】
電源スキャナ（ＤＳＣＮ）４００は、連続する複数の行（ｊ行：ｊは２以上の整数）単位で各画素回路をグループ化して、このグループごとに同じ電源信号を順次供給するものである。すなわち、この電源スキャナ（ＤＳＣＮ）４００は、複数の電源線（ＤＳＬ）４１０ごとに電源信号を順次供給する。この電源スキャナ（ＤＳＣＮ）４００は、例えば、一定数の行単位により、画素６００に電流を供給するための電源電位、または、画素６００を初期化するための初期化電位のいずれか一方に電源信号を切り替える。また、この電源スキャナ（ＤＳＣＮ）４００は、その電源信号を電源線（ＤＳＬ）４１０に供給する。  
【００２３】
この電源スキャナ（ＤＳＣＮ）４００は、複数行（ｊ行）ごと（グループごと）にそれぞれ対応するドライバ４０１乃至４０３を備える。このドライバ４０１乃至４０３は、それぞれに対応する一定数の行の画素６００に対する電源信号を生成する。このドライバ４０１乃至４０３は、その生成された電源信号を電源線（ＤＳＬ）４１１乃至４１３にそれぞれ供給する。すなわち、この電源線（ＤＳＬ）４１１乃至４１３は、複数の画素６００に対して複数行（ｊ行）ごとに同じ電源電位を供給する。なお、電源線（ＤＳＬ）４１１乃至４１３は、特許請求の範囲に記載の電源線の一例である。
【００２４】
画素６００は、走査線（ＷＳＬ）２１０からの制御信号に基づいて、データ線（ＤＴＬ）３１０からの映像信号に相当する電圧に応じて所定の期間、発光するものである。
【００２５】
このように、電源スキャナ（ＤＳＣＮ）４００は、複数行の画素６００ごとに同じ電源信号を供給することによって、電源スキャナ（ＤＳＣＮ）４００のドライバの数を削減することができる。これにより、表示装置１００の製造コストを削減することができる。
【００２６】
［電源スキャナにおけるドライバの構成例］
図２は、表示装置１００における電源スキャナ（ＤＳＣＮ）４００を構成するドライバ４０１乃至４０３による電源信号の生成手法の一例を示す図である。図２（ａ）は、表示装置１００のドライバ４０１乃至４０３における一構成例を示す等価回路図である。図２（ｂ）は、図２（ａ）に示した構成における制御信号線４３１および電源線（ＤＳＬ）４１０の電位変化を示すタイミングチャートである。
【００２７】
図２（ａ）には、ｐ型トランジスタ４２１およびｎ型トランジスタ４２２が互いに直列に接続されたＣＭＯＳ（Complementary Metal Oxide Semiconductor）インバータが示されている。ここでは、電源線（ＤＳＬ）４１０と、ｐ型トランジスタ４２１と、ｎ型トランジスタ４２２と、制御信号線４３１と、固定電位線４９１および４９２とが示されている。この構成においては、ｐ型トランジスタ４２１は、そのゲート端子に制御信号線４３１が接続され、そのソース端子に固定電位線４９１が接続され、そのドレイン端子に電源線（ＤＳＬ）４１０およびｎ型トランジスタ４２２のドレイン端子が接続される。また、ｎ型トランジスタ４２２は、そのゲート端子に制御信号線４３１が接続され、そのソース端子に固定電位線４９２が接続される。
【００２８】
制御信号線４３１には、電源線（ＤＳＬ）４１０における電源信号を切り替えるための制御信号が供給される。固定電位線４９１および４９２には、電源線（ＤＳＬ）４１０の電源信号を生成するための電位が供給される。固定電位線４９１および４９２には、画素６００を発光させるための電源電位（Ｖｃｃ）と、画素６００を初期化させるための初期化電位（Ｖｓｓ）とがそれぞれ供給される。
【００２９】
図２（ｂ）には、横軸を共通の時間軸とする制御信号線４３１および電源線（ＤＳＬ）４１０の電位変化が示されている。ここでは、１フィールド期間（１Ｆ）におけるドライバ４０１乃至４０３の動作について説明する。
【００３０】
まず、１つ前のフィールド期間の終了直前において、制御信号線４３１における制御信号の電位がＬ（Ｌｏｗ）レベルに設定されている。そして、１フィールド期間（１Ｆ）において、制御信号線４３１における制御信号の電位がＨ（Ｈｉｇｈ）レベルに遷移する。このとき、ｐ型トランジスタ４２１がオン（導通）状態となるとともに、ｎ型トランジスタ４２２がオフ（非導通）状態となる。これにより、電源線（ＤＳＬ）４１０には、電源信号として固定電位線４９１の電源電位（Ｖｃｃ）が供給される。
【００３１】
次に、制御信号線４３１における制御信号の電位がＬレベルからＨレベルに遷移するため、ｐ型トランジスタ４２１がオフ（非導通）状態となるとともに、ｎ型トランジスタ４２２がオン（導通）状態となる。これにより、電源線（ＤＳＬ）４１０には、電源信号として固定電位線４９２の初期化電位（Ｖｓｓ）が供給される。
【００３２】
このように、ｐ型トランジスタ４２１およびｎ型トランジスタ４２２を設けることによって、制御信号線４３１の制御信号に基づいて、電源電位（Ｖｃｃ）および初期化電位（Ｖｓｓ）のいずれか一方の電位を電源線（ＤＳＬ）４１０に供給することができる。次に、水平セレクタ（ＨＳＥＬ）３００の一構成例について次図を参照して説明する。
【００３３】
［水平セレクタの構成例］
図３は、表示装置１００における水平セレクタ（ＨＳＥＬ）３００によるデータ線（ＤＴＬ）３１１乃至３１３に供給されるデータ信号の生成手法の一例を示す図である。図３（ａ）は、表示装置１００を構成する水平セレクタ（ＨＳＥＬ）３００における一構成例を示すブロック図である。図３（ｂ）は、図３（ａ）に示した構成における切替制御線３２１乃至３２３およびデータ線（ＤＴＬ）３１０の電位変化を示すタイミングチャートである。
【００３４】
図３（ａ）には、映像信号線３０１乃至３０３と、基準信号線３９１と、消光信号線３９２と、切替制御線３２１乃至３２３と、切替回路３５１乃至３５３と、切替回路３６１乃至３６３と、切替回路３７１乃至３７３とが示されている。
【００３５】
映像信号線３０１乃至３０３には、各列の画素６００の各々に対する映像信号（Ｖｓｉｇ）が時分割により供給される。基準信号線３９１には、画素６００を構成する駆動トランジスタの閾値に対する補正（閾値補正）を行うための基準信号（Ｖｏｆｓ）が供給されている。消光信号線３９２には、画素６００を消光させるための消光信号（Ｖｅｒｓ）が供給されている。切替制御線３２１には、切替回路３５１乃至３５３の切り替えを制御するための切替制御信号（Ｇｓｉｇ）が供給される。切替制御線３２２には、切替回路３６１乃至３６３の切り替えを制御するための切替制御信号（Ｇｏｆｓ）が供給される。切替制御線３２３には、切替回路３７１乃至３７３の切り替えを制御するための切替制御信号（Ｇｅｒｓ）が供給される。
【００３６】
切替回路３５１乃至３５３は、切替制御線３２１からの切替制御信号（Ｇｓｉｇ）に基づいて、映像信号線３０１乃至３０３とデータ線（ＤＴＬ）３１１乃至３１３との間の接続の有無をそれぞれ切り替えるものである。切替回路３６１乃至３６３は、切替制御線３２２からの切替制御信号（Ｇｏｆｓ）に基づいて、基準信号線３９１とデータ線（ＤＴＬ）３１１乃至３１３との間の接続の有無をそれぞれ切り替えるものである。切替回路３７１乃至３７３は、切替制御線３２３からの切替制御信号（Ｇｅｒｓ）に基づいて、消光信号線３９２とデータ線（ＤＴＬ）３１１乃至３１３との間の接続の有無をそれぞれ切り替えるものである。
【００３７】
図３（ｂ）には、横軸を共通の時間軸とする切替制御線３２１乃至３２３およびデータ線（ＤＴＬ）３１０の電位変化が示されている。また、本来、映像信号の電位（Ｖｓｉｇ）は、表示装置１００に入力される映像信号に応じて変化するが、この例では、一定の電位であることを想定している。ここでは、１水平走査期間（１Ｈ）における水平セレクタ（ＨＳＥＬ）３００の動作について説明する。
【００３８】
まず、１つ前の水平走査期間の終了直前において、切替制御線３２１における切替制御信号（Ｇｓｉｇ）の電位がＬレベルに、切替制御線３２２における切替制御信号（Ｇｏｆｓ）の電位がＨレベルに設定されている。また、切替制御線３２３における切替制御信号（Ｇｅｒｓ）の電位がＬレベルに設定されている。
【００３９】
次に、１水平走査期間において、切替制御線３２１における切替制御信号（Ｇｓｉｇ）の電位がＬレベルからＨレベルに遷移するとともに、切替制御線３２２における切替制御信号（Ｇｏｆｓ）の電位がＨレベルからＬレベルに切り替る。これにより、切替回路３５１乃至３５３により映像信号線３０１乃至３０３とデータ線（ＤＴＬ）３１１乃至３１３とがそれぞれ接続されるため、データ線（ＤＴＬ）３１０にデータ信号として映像信号（Ｖｓｉｇ）が供給される。
【００４０】
次に、切替制御線３２１における切替制御信号（Ｇｓｉｇ）の電位がＨレベルからＬレベルに切り替るとともに、切替制御線３２３における切替制御信号（Ｇｅｒｓ）の電位がＬレベルからＨレベルに切り替る。これにより、切替回路３７１乃至３７３により消光信号線３９２とデータ線（ＤＴＬ）３１１乃至３１３とがそれぞれ接続されるため、データ線（ＤＴＬ）３１０にデータ信号として消光信号（Ｖｅｒｓ）が供給される。
【００４１】
そして、切替制御線３２３における切替制御信号（Ｇｅｒｓ）の電位がＨレベルからＬレベルに遷移するとともに、切替制御線３２２における切替制御信号（Ｇｏｆｓ）の電位がＬレベルからＨレベルに切り替る。これにより、切替回路３６１乃至３６３により基準信号線３９１とデータ線（ＤＴＬ）３１１乃至３１３とがそれぞれ接続されるため、データ線（ＤＴＬ）３１０にデータ信号として基準信号（Ｖｏｆｓ）が供給される。
【００４２】
このように、データ線（ＤＴＬ）３１０の各々に対して、３つの切替回路および３本の切替制御線３２１乃至３２３を用いることによって、３値化されたデータ信号を生成することができる。
【００４３】
［表示装置の基本動作の例］
図４は、表示装置１００の基本動作の一例に関するタイミングチャートである。ここでは、横軸を共通の時間軸として、電源線（ＤＳＬ）４１１および４１２と、データ線（ＤＴＬ）３１０と、走査線（ＷＳＬ）２１１乃至２１４との電位変化が示されている。
【００４４】
データ線（ＤＴＬ）３１０の電位変化は、図３（ｂ）で述べたとおり、水平セレクタ（ＨＳＥＬ）３００により生成されたデータ信号の電位変化である。電源線（ＤＳＬ）４１１および４１２の電位変化は、図２（ｂ）で述べたとおり、電源スキャナ（ＤＳＣＮ）４００におけるドライバ４０１および４０２により生成された電源信号の電位変化である。
【００４５】
走査線（ＷＳＬ）２１１乃至２１４は、ライトスキャナ（ＷＳＣＮ）２００におけるドライバ２０１乃至２０４によりそれぞれ生成された制御信号の電位変化である。この走査線（ＷＳＬ）２１１乃至２１４には、制御信号として、上述のとおり、オン電位（Ｖｏｎ）、第１オフ電位（Ｖｏｆｆ１）および第２オフ電位（Ｖｏｆｆ２）のいずれか１つの電位が供給される。これにより、この走査線（ＷＳＬ）２１１乃至２１４には、それぞれ３つのパルス２２１乃至２２３が供給される。
【００４６】
１つ目のパルス２２１は、画素６００の発光を消光させるために消光信号の電位（Ｖｅｒｓ）を画素６００に与えるためのパルスである。２つ目のパルス２２２は、閾値補正のために基準信号の電位（Ｖｏｆｓ）を画素６００に与えるためのパルスである。３つ目のパルス２２３は、画素６００を構成する駆動トランジスタの移動度に対する補正を行うとともに映像信号（Ｖｓｉｇ）を書き込むためのパルスである。また、走査線（ＷＳＬ２）２１２には、走査線（ＷＳＬ１）２１１を基準として１Ｈ（水平走査期間）後にそれぞれのパルスが供給される。また、ここでは図示していないが、走査線（ＷＳＬ２）２１２の１行下の走査線には、走査線（ＷＳＬ２）２１２を基準として１Ｈ後にそれぞれのパルスが供給される。
【００４７】
この場合、走査線（ＷＳＬ）２１１乃至２１３に接続されている画素６００に電源線（ＤＳＬ）４１１の電源信号が同時に印加され、走査線（ＷＳＬ）２１４に接続されている画素６００に電源線（ＤＳＬｊ＋１）４１２の電源信号が印加される。
【００４８】
［画素の構成例］
図５は、表示装置１００における画素６００の構成例を模式的に示す回路図である。画素６００は、書込みトランジスタ６１０と、駆動トランジスタ６２０と、保持容量６３０と、発光素子６４０とを備える画素回路である。なお、画素６００は、特許請求の範囲に記載の複数の画素回路の一例である。ここでは、書込みトランジスタ６１０および駆動トランジスタ６２０がそれぞれｎチャンネル型トランジスタである場合を想定する。
【００４９】
書込みトランジスタ６１０のゲート端子およびドレイン端子には、それぞれ走査線（ＷＳＬ）２１０およびデータ線（ＤＴＬ）３１０が接続される。また、書込みトランジスタ６１０のソース端子には、保持容量６３０の一方の電極および駆動トランジスタ６２０のゲート端子（ｇ）が接続される。ここでは、この接続部位を第１ノード（ＮＤ１）６５０とする。駆動トランジスタ６２０のドレイン端子（ｄ）には、電源線（ＤＳＬ）４１０が接続され、駆動トランジスタ６２０のソース端子（ｓ）には、保持容量６３０の他方の電極および発光素子６４０の入力端子が接続される。ここでは、この接続部位を第２ノード（ＮＤ２）６６０とする。
【００５０】
書込みトランジスタ６１０は、走査線（ＷＳＬ）２１０の制御信号に従って、データ線（ＤＴＬ）３１０からのデータ信号を保持容量６３０に書き込むものである。この書込みトランジスタ６１０は、発光素子６４０を発光させるための電圧を保持容量６３０に加えるために、保持容量６３０の一方の電極にデータ信号の電位を与える。
【００５１】
この書込みトランジスタ６１０は、保持容量６３０に対して、閾値補正により基準信号の電位（Ｖｏｆｓ）に基づいて閾値電圧を保持させた後に映像信号に相当する電圧を書き込む。また、この書込みトランジスタ６１０は、保持容量６３０の一方の電極に消光信号の電位（Ｖｅｒｓ）を与える。すなわち、この書込みトランジスタ６１０は、発光素子６４０を発光させるための駆動電流の供給を停止させるために、駆動トランジスタ６２０のゲート端子に消光信号の電位（Ｖｅｒｓ）を与える。なお、書込みトランジスタ６１０は、特許請求の範囲に記載の書込みトランジスタの一例である。
【００５２】
駆動トランジスタ６２０は、電源線（ＤＳＬ）４１０からの電源電位（Ｖｃｃ）を受けることによって、保持容量６３０に書き込まれた映像信号の電位（Ｖｓｉｇ）に基づく電圧に応じた駆動電流を発光素子６４０に出力するものである。また、この駆動トランジスタ６２０は、書込みトランジスタ６１０により、そのゲート端子に与えられた消光信号の電位（Ｖｅｒｓ）によって、発光素子６４０への駆動電流の供給を停止する。なお、駆動トランジスタ６２０は、特許請求の範囲に記載の駆動トランジスタの一例である。
【００５３】
保持容量６３０は、書込みトランジスタ６１０によって与えられたデータ信号に相当する電圧を保持するものである。この保持容量６３０は、例えば、書込みトランジスタ６１０によって書き込まれた映像信号に相当する電圧を保持する。なお、保持容量６３０は、特許請求の範囲に記載の保持容量の一例である。
【００５４】
発光素子６４０は、駆動トランジスタ６２０から供給された駆動電流の大きさに応じて発光するものである。この発光素子６４０は、例えば、有機ＥＬ素子により実現することができる。なお、発光素子６４０は、特許請求の範囲に記載の発光素子の一例である。
【００５５】
なお、この例では、書込みトランジスタ６１０および駆動トランジスタ６２０がそれぞれｎチャンネル型トランジスタである場合を想定したが、この組み合わせに限られるものではない。また、これらのトランジスタは、エンハンスメント型のものでもよく、デプレッション型やデュアルゲート型のものでもよい。
【００５６】
［画素の基本動作の例］
図６は、表示装置１００における画素６００の基本動作の一例に関するタイミングチャートである。このタイミングチャートには、横軸を共通の時間軸として、走査線（ＷＳＬ）２１０、データ線（ＤＴＬ）３１０、電源線（ＤＳＬ）４１０、第１ノード（ＮＤ１）６５０および第２ノード（ＮＤ２）６６０の電位変化が示されている。ここでは、第２ノード（ＮＤ２）６６０の電位変化が点線により示され、それ以外の電位変化が実線により示されている。なお、各期間を示す横軸の長さは模式的なものであり、各期間の時間長の割合を示すものではない。
【００５７】
このタイミングチャートでは、画素６００の動作の遷移をＴＰ１からＴＰ８の期間に便宜的に区切っている。発光期間ＴＰ８では、発光素子６４０は発光状態にある。発光期間ＴＰ８の終了直前において、走査線（ＷＳＬ）２１０の制御信号は第１オフ電位（Ｖｏｆｆ１）に、データ線（ＤＴＬ）３１０は消光信号の電位（Ｖｅｒｓ）に設定されている。また、電源線（ＤＳＬ）４１０の電源信号は電源電位（Ｖｃｃ）に設定されている。
【００５８】
この後、線順次走査の新しいフィールドに入り、消光期間ＴＰ１では、走査線（ＷＳＬ）２１０の制御信号が第１オフ電位（Ｖｏｆｆ１）からオン電位（Ｖｏｎ）に切り替えられる。これにより、第１ノード（ＮＤ１）６５０の電位が消光信号の電位（Ｖｅｒｓ）まで低下することに伴い、保持容量６３０によるカップリングの影響を受けることにより第２ノード（ＮＤ２）６６０の電位も低下する。
【００５９】
次に、消光期間ＴＰ２では、走査線（ＷＳＬ）２１０の制御信号は第２オフ電位（Ｖｏｆｆ２）に切り替えられる。これにより、第２ノード（ＮＤ２）６６０の電位が発光素子６４０の閾値電位（Ｖｔｈｅｌ＋Ｖｃａｔ）まで低下するため、発光素子６４０は消光する。このとき、第１ノード（ＮＤ１）６５０の電位も保持容量６３０からのカップリングの影響を受けて低下する。なお、Ｖｔｈｅｌは発光素子６４０の閾値電圧であり、Ｖｃａｔは発光素子６４０を構成するカソード電極に与えられる電位である。
【００６０】
また、閾値補正準備期間ＴＰ３において第１ノード（ＮＤ１）６５０の電位が初期化電位（Ｖｓｓ）付近まで低下する。この場合、走査線（ＷＳＬ）２１０の制御信号を第１オフ電位（Ｖｏｆｆ１）に設定すると、書込みトランジスタ６１０から第１ノード（ＮＤ１）６５０の方向に電流が漏れ込んでしまう。このため、閾値補正準備期間ＴＰ３における第１ノード（ＮＤ１）６５０の電位を考慮して、走査線（ＷＳＬ）２１０の制御信号の第２オフ電位（Ｖｏｆｆ２）を第１オフ電位（Ｖｏｆｆ１）に比べて低い電位に設定する。
【００６１】
続いて、閾値補正準備期間ＴＰ３では、電源線（ＤＳＬ）４１０の電源信号は電源電位（Ｖｃｃ）から初期化電位（Ｖｓｓ）に切り替えられる。これにより、駆動トランジスタ６２０にはドレイン端子側に電流が流れることによって、第１ノード（ＮＤ１）６５０の電位が「Ｖｓｓ＋Ｖｔｈｄ」まで低下する。このとき、第２ノード（ＮＤ２）６６０の電位も低下する。すなわち、画素６００が初期化される。なお、Ｖｔｈｄは、駆動トランジスタ６２０のドレイン端子とゲート端子との間の閾値電圧であり、ここではドレイン端子側の閾値電圧という。
【００６２】
次に、閾値補正待機期間ＴＰ４では、電源線（ＤＳＬ）４１０の電源信号は初期化電位（Ｖｓｓ）から電源電位（Ｖｃｃ）に切り替えられる。これにより、駆動トランジスタ６２０にはソース端子側である保持容量６３０の他方の電極に電流が流れることによって、第１ノード（ＮＤ１）６５０および第２ノード（ＮＤ２）６６０の電位が上昇する。
【００６３】
次に、閾値補正期間ＴＰ５では、閾値補正動作が行われる。データ線（ＤＴＬ）３１０のデータ信号が基準信号の電位（Ｖｏｆｓ）において、走査線（ＷＳＬ）２１０の制御信号は第２オフ電位（Ｖｏｆｆ２）からオン電位（Ｖｏｎ）に切り替えられる。これにより、第１ノード（ＮＤ１）６５０と第２ノード（ＮＤ２）６６０との間に駆動トランジスタ６２０の閾値電圧（Ｖｔｈ）に相当する電圧が加えられる。その後、ＴＰ６では、一旦、走査線（ＷＳＬ）２１０の制御信号が第１オフ電位（Ｖｏｆｆ１）に落とされ、データ線（ＤＴＬ）３１０のデータ信号が基準信号の電位（Ｖｏｆｓ）から映像信号の電位（Ｖｓｉｇ）に切り替えられる。
【００６４】
次に、書込み期間／移動度補正期間ＴＰ７では、走査線（ＷＳＬ）２１０の制御信号がオン電位（Ｖｏｎ）に上げられ、第１ノード（ＮＤ１）６５０の電位が映像信号の電位（Ｖｓｉｇ）まで上昇する。これにより、駆動トランジスタ６２０から発光素子６４０の寄生容量６４１に電流が流れ、寄生容量６４１の充電が開始される。これに対して、第２ノード（ＮＤ２）６６０の電位は移動度補正による上昇量（ΔＶ）だけ上昇する。すなわち、走査線（ＷＳＬ）２１０の制御信号がオン電位（Ｖｏｎ）になることによって、保持容量６３０の一方の電極には映像信号の電位（Ｖｓｉｇ）が書き込まれる。それとともに、保持容量６３０の他方の電極には、ＴＰ５において加えられた電位（Ｖｏｆｓ−Ｖｔｈ）から移動度補正による上昇量（ΔＶ）だけ上昇した電位（（Ｖｏｆｓ−Ｖｔｈ）＋ΔＶ）が加えられる。これにより、保持容量６３０には、映像信号に相当する電圧として「Ｖｓｉｇ−（（Ｖｏｆｓ−Ｖｔｈ）＋ΔＶ）」の電圧が保持される。
【００６５】
この後、発光期間ＴＰ８では、走査線（ＷＳＬ）２１０の制御信号が第１オフ電位（Ｖｏｆｆ１）に設定される。これにより、保持容量６３０に保持された電圧（Ｖｓｉｇ−Ｖｏｆｓ＋Ｖｔｈ−ΔＶ）に応じた輝度により発光素子６４０が発光する。この場合、保持容量６３０に保持された電圧（Ｖｓｉｇ−Ｖｏｆｓ＋Ｖｔｈ−ΔＶ）は、閾値電圧（Ｖｔｈ）および移動度補正による上昇量（ΔＶ）によって補正されている。このため、発光素子６４０の輝度は、駆動トランジスタ６２０における閾値電圧（Ｖｔｈ）および移動度のばらつきによる影響を受けない。なお、発光期間ＴＰ８の途中までの期間では、第１ノード（ＮＤ１）６５０および第２ノード（ＮＤ２）６６０の電位は上昇する。このとき、第１ノード（ＮＤ１）６５０と第２ノード（ＮＤ２）６６０との間の電位差（Ｖｓｉｇ−Ｖｏｆｓ＋Ｖｔｈ−ΔＶ）は維持される。
【００６６】
なお、ここでは、発光素子６４０における１回の発光に対して閾値補正動作を１回行う例について説明したが、閾値補正動作の回数はこれに限定されるものではなく、２回以上としてもよい。
【００６７】
［画素の動作状態の詳細］
次に、上述の画素６００の動作について以下に図面を参照して詳細に説明する。以下の図面では、図６に示したタイミングチャートにおけるＴＰ１乃至ＴＰ８の期間に対応する画素６００の動作状態を示す。なお、便宜上、発光素子６４０の寄生容量６４１を図示する。また、書込みトランジスタ６１０をスイッチとして図示し、走査線（ＷＳＬ）２１０については省略する。
【００６８】
図７（ａ）乃至（ｃ）は、ＴＰ８、ＴＰ１、ＴＰ２の期間にそれぞれ対応する画素６００の動作状態を模式的に示す回路図である。発光期間ＴＰ８では、図７（ａ）に示すように、電源線（ＤＳＬ）４１０の電源信号は電源電位（Ｖｃｃ）に設定されており、駆動トランジスタ６２０は発光素子６４０に駆動電流（Ｉｄｓ）を供給している。
【００６９】
次に、消光期間ＴＰ１では、図７（ｂ）に示すように、データ線（ＤＴＬ）３１０のデータ信号が消光信号の電位（Ｖｅｒｓ）のときに、走査線（ＷＳＬ）２１０の制御信号が第１オフ電位（Ｖｏｆｆ１）からオン電位（Ｖｏｎ）に遷移する。これにより、書込みトランジスタ６１０がオン（導通）状態となることから、第１ノード（ＮＤ１）６５０の電位は消光信号の電位（Ｖｅｒｓ）まで低下する。このとき、第１ノード（ＮＤ１）６５０の電位低下による保持容量６３０を介したカップリングの影響によって第２ノード（ＮＤ２）６６０の電位も低下する。続いて、消光期間ＴＰ２では、図７（ｃ）に示すように、走査線（ＷＳＬ）２１０の制御信号が第２オフ電位（Ｖｏｆｆ２）に遷移することによって、書込みトランジスタ６１０はオフ（非導通）状態となる。ここでは、第２ノード（ＮＤ２）６６０の電位が発光素子６４０の閾値電位（Ｖｔｈｅｌ＋Ｖｃａｔ）まで低下することにより、発光素子６４０は消光する。なお、第１ノード（ＮＤ１）６５０の電位も第２ノード（ＮＤ２）６６０の電位低下に倣うように低下する。
【００７０】
図８（ａ）乃至（ｃ）は、ＴＰ３乃至ＴＰ５の期間にそれぞれ対応する画素６００の動作状態を模式的に示す回路図である。
【００７１】
ＴＰ２に続いて、閾値補正準備期間ＴＰ３では、図８（ａ）に示すように、電源線（ＤＳＬ）４１０の電源信号が電源電位（Ｖｃｃ）から初期化電位（Ｖｓｓ）に切り替えられる。これにより、駆動トランジスタ６２０には電源線（ＤＳＬ）４１０の方向に電流が流れるため、第２ノード（ＮＤ２）６６０の電位は低下する。それとともに、第１ノード（ＮＤ１）６５０が浮遊状態にあるため、第２ノード（ＮＤ２）６６０の電位低下に倣うように第１ノード（ＮＤ１）６５０の電位も低下する。このとき、第１ノード（ＮＤ１）６５０の電位と電源線（ＤＳＬ）４１０の初期化電位（Ｖｓｓ）との間の電位差が駆動トランジスタ６２０におけるドレイン端子側の閾値電圧（Ｖｔｈｄ）に相当する電圧となるまで第１ノード（ＮＤ１）６５０の電位は低下する。すなわち、第１ノード（ＮＤ１）６５０の電位は「Ｖｓｓ＋Ｖｔｈｄ」まで低下する。このようにして、画素６００は初期化される。
【００７２】
次に、閾値補正待機期間ＴＰ４では、図８（ｂ）に示すように、電源線（ＤＳＬ）４１０の電源信号は初期化電位（Ｖｓｓ）から初期化電位（Ｖｃｃ）に切り替えられる。これにより、駆動トランジスタ６２０には保持容量６３０の他方の電極の方向に微量の電流が流れるため、第１ノード（ＮＤ１）６５０および第２ノード（ＮＤ２）６６０の電位が若干上昇する。
【００７３】
そして、閾値補正期間ＴＰ５では、図８（ｃ）に示すように、データ線（ＤＴＬ）３１０のデータ信号が基準信号の電位（Ｖｏｆｓ）のときに、走査線（ＷＳＬ）２１０の制御信号が第２オフ電位（Ｖｏｆｆ２）からオン電位（Ｖｏｎ）に遷移する。これにより、第１ノード（ＮＤ１）６５０の電位は、基準信号の電位（Ｖｏｆｓ）に設定されるため、駆動トランジスタ６２０から保持容量６３０の他方の電極に電流が流れることから、第２ノード（ＮＤ２）６６０の電位が上昇する。
【００７４】
そして、第１ノード（ＮＤ１）６５０と第２ノード（ＮＤ２）６６０との間の電位差が駆動トランジスタ６２０におけるソース端子とゲート端子との間の閾値電圧（Ｖｔｈ）に相当する電圧となったところで電流が止まる（カットオフ状態となる）。これにより、基準信号の電位（Ｖｏｆｓ）を基準として駆動トランジスタ６２０の閾値電圧（Ｖｔｈ）に相当する電圧が保持容量６３０に保持され、閾値補正動作が完了する。なお、ここでは、カソード電極の電位（Ｖｃａｔ）を駆動トランジスタ６２０からの電流が発光素子６４０に流れないように設定している。
【００７５】
図９（ａ）乃至（ｃ）は、ＴＰ６乃至ＴＰ８の期間にそれぞれ対応する画素６００の動作状態を模式的に示す回路図である。
【００７６】
ＴＰ５に続いて、ＴＰ６では、図９（ａ）に示すように、走査線（ＷＳＬ）２１０における制御信号がオン電位（Ｖｏｎ）から第２オフ電位（Ｖｏｆｆ２）に遷移することによって、書込みトランジスタ６１０がオフ（非導通）状態となる。その後、データ線（ＤＴＬ）３１０のデータ信号が基準信号の電位（Ｖｏｆｓ）から映像信号の電位（Ｖｓｉｇ）に切り替えられる。この場合、データ線（ＤＴＬ）３１０においては、データ線（ＤＴＬ）３１０に接続された複数の画素６００内の書込みトランジスタ６１０により、映像信号の電位（Ｖｓｉｇ）の立ち上がりが緩やかになる。このため、データ線（ＤＴＬ）３１０のトランジェント特性を考慮し、データ信号が映像信号の電位（Ｖｓｉｇ）に達するまでの間、書込みトランジスタ６１０をオフ状態にしている。
【００７７】
ＴＰ６に続いて書込み期間／移動度補正期間ＴＰ７では、図９（ｂ）に示すように、走査線（ＷＳＬ）２１０の制御信号がオン電位（Ｖｏｎ）に遷移することにより、書込みトランジスタ６１０がオン状態となる。これにより、第１ノード（ＮＤ１）６５０の電位が映像信号の電位（Ｖｓｉｇ）に設定される。それとともに、駆動トランジスタ６２０から保持容量６３０の他方の電極に電流が流れることにより、第２ノード（ＮＤ２）６６０の電位が「ΔＶ」だけ上昇する。そして、第１ノード（ＮＤ１）６５０と第２ノード（ＮＤ２）６６０との間の電位差が「Ｖｓｉｇ−Ｖｏｆｓ＋Ｖｔｈ−ΔＶ」となる。このように、映像信号の電位（Ｖｓｉｇ）の書込み、および、移動度補正による上昇量（ΔＶ）の調整が行われる。
【００７８】
この動作において、映像信号の電位（Ｖｓｉｇ）が大きいほど駆動トランジスタから出力される電流が大きくなるため、移動度補正による上昇量（ΔＶ）も大きくなる。したがって、輝度レベル（映像信号の電位）に応じた移動度補正を行うことができるようになる。また、画素ごとの映像信号の電位（Ｖｓｉｇ）を一定にした場合には、駆動トランジスタの移動度が大きい画素ほど移動度補正による上昇量（ΔＶ）も大きくなる。例えば、駆動トランジスタの移動度が大きい画素では、移動度が小さい画素に比べて保持容量の他方の電極に流れる電流量が大きくなるため、その分だけ駆動トランジスタのゲート−ソース間電圧が低くなる。したがって、駆動トランジスタの移動度が大きい画素では、発光期間において発光素子に供給される駆動電流が移動度の小さい画素と同程度の大きさに調整されるようになる。このようにして、画素ごとの駆動トランジスタにおける移動度のばらつきが取り除かれる。
【００７９】
次に、発光期間ＴＰ８では、図９（ｃ）に示すように、走査線（ＷＳＬ）２１０の制御信号が第１オフ電位（Ｖｏｆｆ１）に遷移することにより、書込みトランジスタ６１０がオフ状態となる。これにより、駆動トランジスタ６２０からの駆動電流（Ｉｄｓ）に応じて第２ノード（ＮＤ２）６６０の電位が上昇するとともに、第１ノード（ＮＤ１）６５０の電位も連動して上昇する。このとき、ブートストラップ動作によって、第１ノード（ＮＤ１）６５０と第２ノード（ＮＤ２）６６０との間の電位差（Ｖｓｉｇ−Ｖｏｆｓ＋Ｖｔｈ−ΔＶ）は維持される。
【００８０】
このように、閾値補正動作により閾値電圧（Ｖｔｈ）に相当する電圧を保持容量６３０に保持させた後に、保持容量６３０の他方の電極に移動度補正動作による上昇量（ΔＶ）が加えられる。これにより、画素６００ごとの駆動トランジスタ６２０における閾値電圧および移動度のばらつきがキャンセルされるため、表示画像に現われるムラなどを防ぐことができる。
【００８１】
このような表示装置１００においては、発光素子６４０の寄生容量６４１および駆動トランジスタ６２０の寄生容量などによって消光期間ＴＰ１において第２ノード（ＮＤ２）６６０の電位が十分に低下しないことが想定される。消光期間ＴＰ１において第２ノード（ＮＤ２）６６０の電位が十分に低下しない場合における画素６００の動作について以下に図面を参照して説明する。
【００８２】
［消光期間における第２ノードの電位低下が緩やかな場合の例］
図１０は、表示装置１００における消光期間ＴＰ１において第２ノード（ＮＤ２）６６０の電位が緩やかに低下する場合における画素６００の動作を例示するタイミングチャートである。なお、ここでは、太い点線により示す第２ノード（ＮＤ２）６６０の電位変化以外は、図６に示したものと同様である。また、細い点線に示す第２ノード（ＮＤ２）６６０の電位変化は、図６に示した第２ノード（ＮＤ２）６６０の電位変化である。
【００８３】
この例では、太い点線により示される第２ノード（ＮＤ２）６６０の電位変化に着目して説明する。消光期間ＴＰ１では、第１ノード（ＮＤ１）６５０の電位低下に伴う保持容量６３０からのカップリングによって第２ノード（ＮＤ２）６６０の電位が低下する。この場合には、発光素子６４０の寄生容量６４１などの影響によって第２ノード（ＮＤ２）６６０の電位は急峻には低下せず、緩やかに低下する。そして、消光期間ＴＰ２では、主に保持容量６３０の放電により第２ノード（ＮＤ２）６６０の電位は徐々に低下していき、発光素子６４０の閾値電位（Ｖｔｈｅｌ＋Ｖｃａｔ）に達する前に閾値補正準備期間ＴＰ３に遷移する。
【００８４】
このとき、第２ノード（ＮＤ２）６６０の電位が発光素子６４０の閾値電位（Ｖｔｈｅｌ＋Ｖｃａｔ）に比べて高いことから、発光素子６４０には電流が流れ続けてしまう。このため、消光期間ＴＰ２において徐々に輝度は低下するものの発光素子６４０は発光を継続してしまう。
【００８５】
その後、閾値補正準備期間ＴＰ３では、電源線（ＤＳＬ）４１０の電源信号が電源電位（Ｖｃｃ）から初期化電位（Ｖｓｓ）に切り替えられるため、第２ノード（ＮＤ２）６６０の電位は発光素子６４０の閾値電位（Ｖｔｈｅｌ＋Ｖｃａｔ）に比べて低くなる。これにより、発光素子６４０は完全に消光する。
【００８６】
このように、消光期間ＴＰ１において第２ノード（ＮＤ２）６６０の電位が緩やかに低下する場合には、発光素子６４０は閾値補正準備期間ＴＰ３の直前まで発光を継続する。このような表示装置１００においては、複数行単位（グループ単位）により電源信号が同時に切り替わることから、図３に示したとおり、各行の画素６００ごとに消光期間ＴＰ２が異なるため、各行の画素６００ごとに発光素子６４０が発光する期間は異なってしまう。
【００８７】
図１１は、表示装置１００における消光期間ＴＰ１において第２ノード（ＮＤ２）６６０の電位が緩やかに低下する場合における表示装置１００に表示される表示画像に関する図である。図１１（ａ）は、表示装置１００に表示される表示画像の一例を示す図である。図１１（ｂ）は、表示画像に対する列方向の輝度特性と、図１１（ａ）において示した表示画像との関係を示す図である。また、図１１（ｃ）は、図１１（ｂ）において示した輝度特性のグラフを９０度回転させて拡大したグラフを示す。ここでは、表示装置１００に入力される入力画像を全体が灰色の画像と想定している。
【００８８】
図１１（ａ）には、電源線共用領域４５１乃至４５３が示されている。電源線共用領域４５１乃至４５３は、同一の電源信号が供給される画素６００によって表示されるそれぞれの領域を示す。この電源線共用領域４５１乃至４５３は、上の行から順番に徐々に暗くなっている。なお、この電源線共用領域４５１乃至４５３における最も暗い色が入力画像の色である。
【００８９】
図１１（ｂ）には、輝度特性４６０を表すグラフが示されている。この図では、縦軸を表示画像の水平ライン（走査線）を示す軸とし、横軸を輝度値を示す軸とする輝度特性のグラフを示す。輝度特性４６０は、図１１（ａ）に示された表示画像の水平ラインに対応する輝度値を示す輝度特性である。
【００９０】
図１１（ｃ）には、図１１（ｂ）において示した輝度特性４６０を表すグラフを時計回りに９０度回転させて拡大したグラフが示されている。すなわち、この図では、横軸を走査線を示す軸とし、縦軸を輝度値を示す軸とする輝度特性のグラフを示す。これらの図１１（ｂ）および（ｃ）は、図１１（ａ）において示した表示画面の輝度特性を模式的に表したグラフである。この輝度特性の詳細については、図１８（ａ）において詳細に説明する。
【００９１】
このように、消光期間ＴＰ１において第２ノード（ＮＤ２）６６０の電位が十分に低下しない場合には、１行ごとに異なる消光期間ＴＰ２における画素６００の発光によって、表示画像にグラデーションが生じてしまう。すなわち、各行の画素６００の消光期間ＴＰ２における発光素子６４０の発光量が異なるため、表示画像にグラデーションが生じてしまう。このため、表示画像に生じるグラデーションを軽減するために改良したものが、次に説明する本発明の第１の実施の形態である。
【００９２】
［電源スキャナのドライバの構成例］
図１２は、本発明の第１の実施の形態における電源スキャナ（ＤＳＣＮ）４００におけるドライバ４０１乃至４０３による電源線（ＤＳＬ）４１０に供給される電源信号の生成手法の一例を示す図である。
【００９３】
図１２（ａ）は、本発明の第１の実施の形態における電源スキャナ（ＤＳＣＮ）４００のドライバ４０１における一構成例を示す等価回路図である。ここでは、ｐ型トランジスタ４２３、制御信号線４３２、制御信号線４３３および固定電位線４９３以外の他の構成は、図２（ａ）に示したものと同様であるため、同一符号を付してここでの説明を省略する。
【００９４】
この構成において、ｐ型トランジスタ４２３は、そのゲート端子に制御信号線４３３が接続され、そのソース端子に固定電位線４９３が接続される。そして、ｐ型トランジスタ４２３のドレイン端子には、ｐ型トランジスタ４２１のドレイン端子と、ｎ型トランジスタ４２２のドレイン端子と、電源線（ＤＳＬ）４１０とが接続される。また、ｎ型トランジスタ４２２のゲート端子には、図２（ａ）に示した制御信号線４３１に代えて制御信号線４３２が接続される。
【００９５】
制御信号線４３１乃至４３３には、電源線（ＤＳＬ）４１０における電源信号を切り替えるための制御信号がそれぞれ供給される。固定電位線４９３には、固定電位線４９１に比べて高い電位である高レベル電源電位（Ｖｃｃ＿Ｈ）が供給される。
【００９６】
図１２（ｂ）には、横軸を共通の時間軸とする制御信号線４３１乃至４３３および電源線（ＤＳＬ）４１０の電位変化が示されている。ここでは、１フィールド期間（１Ｆ）におけるドライバ４０１の動作について説明する。
【００９７】
まず、１つ前のフィールド期間の終了直前において、制御信号線４３１乃至４３３におけるそれぞれの制御信号の電位がＨレベルに設定されている。そして、１フィールド期間において、制御信号線４３１および４３２における制御信号の電位がＬレベルにそれぞれ遷移する。このため、ｐ型トランジスタ４２１がオン（導通）状態となり、ｎ型トランジスタ４２２がオフ（非導通）状態となる。このとき、ｐ型トランジスタ４２３はオフ（非導通）状態を維持している。これにより、電源線（ＤＳＬ）４１０には、電源信号として固定電位線４９１の電源電位（Ｖｃｃ）が供給される。
【００９８】
次に、制御信号線４３１における制御信号の電位がＬレベルからＨレベルに遷移するとともに、制御信号線４３３における制御信号の電位がＨレベルからＬレベルに切り替わる。このとき、ｐ型トランジスタ４２１がオフ（非導通）状態となり、それとともにｐ型トランジスタ４２３がオン（導通）状態となる。これにより、電源線（ＤＳＬ）４１０には、電源信号として固定電位線４９３の高レベル電源電位（Ｖｃｃ＿Ｈ）が供給される。
【００９９】
この後、制御信号線４３３における制御信号の電位がＬレベルからＨレベルに遷移するとともに、制御信号線４３２における制御信号の電位がＬレベルからＨレベルに切り替わる。このとき、ｐ型トランジスタ４２３がオフ（非導通）状態となり、それとともにｎ型トランジスタ４２２がオン（導通）状態となる。これにより、電源線（ＤＳＬ）４１０には、電源信号として固定電位線４９２の初期化電位（Ｖｓｓ）が供給される。
【０１００】
このように、電源スキャナ（ＤＳＣＮ）４００におけるドライバ４０１乃至４０３にｐ型トランジスタ４２３を設けることによって、電源電位（Ｖｃｃ）から高レベル電源電位（Ｖｃｃ＿Ｈ）に電源信号を切り替えることができる。なお、電源スキャナ（ＤＳＣＮ）４００におけるドライバ４０１乃至４０３は、特許請求の範囲に記載の電源供給回路の一例である。
【０１０１】
［画素の動作の例］
図１３は、本発明の第１の実施の形態における画素６００の動作の一例に関するタイミングチャートである。ここでは、電源線（ＤＳＬ）４１０、第１ノード（ＮＤ１）６５０および第２ノード（ＮＤ２）６６０の電位変化以外は、図１０に示したものと同様である。また、細い点線により示されている第２ノード（ＮＤ２）６６０の電位変化は、図１０において太い点線により示した第２ノード（ＮＤ２）６６０の電位変化である。
【０１０２】
ここでは、太い点線により示されている第２ノード（ＮＤ２）６６０の電位変化に着目して説明する。消光期間ＴＰ１では、走査線（ＷＳＬ）２１０の制御信号が第１オフ電位（Ｖｏｆｆ１）からオン電位（Ｖｏｎ）に切り替えられる。これにより、書込みトランジスタ６１０により駆動トランジスタ６２０のゲート端子に消光信号の電位（Ｖｅｒｓ）が与えられるため、第１ノード（ＮＤ１）６５０の電位は消光信号の電位（Ｖｅｒｓ）まで低下する。このとき、第２ノード（ＮＤ２）６６０の電位も若干低下する。
【０１０３】
その後、消光期間ＴＰ２では、走査線（ＷＳＬ）２１０の制御信号が第２オフ電位（Ｖｆｆ２）に切り替えられる。そして、電源線（ＤＳＬ）４１０の電源信号が電源電位（Ｖｃｃ）から高レベル電源電位（Ｖｃｃ＿Ｈ）に切り替えられる。これにより、電源線（ＤＳＬ）４１０の電位が急峻に上がるため、駆動トランジスタ６２０のドレイン端子とゲート端子との間の寄生容量によるカップリングの影響を受けて第１ノード（ＮＤ１）６５０の電位は上昇する。これに伴い、主に保持容量６３０からのカップリングによって第２ノード（ＮＤ２）６６０の電位も上昇する。この後、第２ノード（ＮＤ２）６６０の電位は徐々に低下していく。
【０１０４】
このように、消光期間ＴＰ２において、電源線（ＤＳＬ）４１０の電源信号を電源電位（Ｖｃｃ）から高レベル電源電位（Ｖｃｃ＿Ｈ）に切り替えることによって、第２ノード（ＮＤ２）６６０の電位を一時的に上昇させることができる。これにより、発光素子６４０に供給される電流が大きくなることから、発光素子６４０の輝度が高くなるため、消光期間における発光素子６４０の発光量を大きくすることができる。なお、この例では、電源信号の切替え精度を考慮して制御信号を第２オフ電位（Ｖｏｆｆ２）に切り替えてから一定期間経過後に、電源信号を高レベル電源電位（Ｖｃｃ＿Ｈ）に切り替えているが、第２オフ電位（Ｖｏｆｆ２）の切替えと同時にしてもよい。次に、消光期間ＴＰ２における第２ノード（ＮＤ２）６６０の電位上昇による表示画像のグラデーションへの影響について以下に図面を参照して説明する。
【０１０５】
［消光期間における最上段および最下段の行の第２ノードの電位変化の例］
図１４は、本発明の第１の実施の形態における表示装置１００において電源線を共有する画素６００における第２ノード（ＮＤ２）６６０の電位変化を示すタイミングチャートである。このタイミングチャートは、表示装置１００において電源線を共有する画素６００（同一グループに属する画素６００）における最上段および最下段の画素６００の第２ノード（ＮＤ２）６６０の電位変化を示すタイミングチャートの一例である。ここでは、最下段の画素６００における消光期間ＴＰ２の開始後に、電源線（ＤＳＬ）４１１の電源信号を高レベル電源電位（Ｖｃｃ＿Ｈ）に切り替えた場合を想定している。
【０１０６】
ここでは、横軸を共通の時間軸として、実線により電源線（ＤＳＬ）４１１、データ線（ＤＴＬ）３１０、走査線（ＷＳＬ１）２１１および走査線（ＷＳＬｊ）２１３の電位変化と、太い点線により第２ノード６６１および６６３の電位変化とが示されている。また、電源線（ＤＳＬ）４１１の電源信号を高レベル電源電位（Ｖｃｃ＿Ｈ）に切り替えない場合における第２ノード（ＷＳＬ１およびｊ）６６１および６６３の電位変化が細い点線により示されている。なお、データ線（ＤＳＬ）３１０の電位変化は、図１３に示したものと同様である。
【０１０７】
走査線（ＷＳＬ１）２１１は、電源線（ＤＳＬ）４１１に接続された画素６００のうち、最上段である１行目の画素６００に接続された走査線である。この走査線（ＷＳＬ１）２１１に接続された画素６００における消光期間がＷＳＬ１消光期間として示されている。すなわち、このＷＳＬ１消光期間は、同じ電源信号が供給される画素６００のうち走査線（ＷＳＬ１）２１１に接続された画素６００を消光させるための消光期間である。また、走査線（ＷＳＬｊ）２１３は、電源線（ＤＳＬ）４１１に接続された画素６００のうち、最下段であるｊ行目の画素６００に接続された走査線である。この走査線（ＷＳＬｊ）２１３に接続された画素６００における消光期間がＷＳＬｊ消光期間として示されている。なお、ＷＳＬ１消光期間の開始からＷＳＬｊ消光期間の終了まで（ＷＳＬ）の期間は、特許請求の範囲に記載の発光素子を消光させるための消光期間の一例である。
【０１０８】
この例では、走査線（ＷＳＬ１）２１１および走査線（ＷＳＬｊ）２１３にそれぞれ接続された画素６００における第２ノード（ＷＳＬ１）６６１および第２ノード（ＷＳＬｊ）６６３の電位変化に着目して説明する。
【０１０９】
ＷＳＬ１消光期間において、まず、走査線（ＷＳＬ１）２１１の制御信号が一時的にオン電位（Ｖｏｎ）に遷移する。これにより、図１０で述べたとおり、第２ノード（ＷＳＬ１）６６１の電位は保持容量６３０などの放電により徐々に低下していく。
【０１１０】
その後、ＷＳＬｊ消光期間開始と同時に、走査線（ＷＳＬｊ）２１３の制御信号が一時的にオン電位（Ｖｏｎ）に遷移することにより、第２ノード（ＷＳＬｊ）６６３の電位は緩やかに低下する。そして、走査線（ＷＳＬｊ）２１３の制御信号が第２オフ電位（Ｖｏｆｆ２）に切り替えられた後に、電源線（ＤＳＬ）４１１の電源信号が電源電位（Ｖｃｃ）から高レベル電源電位（Ｖｃｃ＿Ｈ）に切り替えられる。すなわち、電源スキャナ（ＤＳＣＮ）４００により、１本の電源線に接続された複数の行の画素のうち最後の画素における駆動トランジスタのゲート端子に消光電位（Ｖｅｒｓ）が与えられた後に高レベル電源電位（Ｖｃｃ＿Ｈ）が供給される。
【０１１１】
このとき、電源線（ＤＳＬ）４１１の急峻な電位上昇に伴うカップリングの影響を受けることによって、第２ノード（ＷＳＬ１）６６１および第２ノード（ＷＳＬｊ）６６３の電位は同程度上昇する。すなわち、電源信号が高レベル電源電位（Ｖｃｃ＿Ｈ）に切り替えることによって、電源線（ＤＳＬ）４１１に接続されている全ての画素６００における第２ノード（ＮＤ２）６６０の電位は上昇する。これにより、発光素子６４０の閾値電位（Ｖｔｈｅｌ＋Ｖｃａｔ）に対する電位差が大きくなり、発光素子６４０に供給される電流が大きくなるため、発光素子６４０の輝度は大きくなる。そして、第２ノード（ＷＳＬ１）６６１および第２ノード（ＷＳＬｊ）６６３の電位は、それぞれ緩やかに低下していき、閾値補正準備期間ＴＰ３において発光素子６４０の閾値電位（Ｖｔｈｅｌ＋Ｖｃａｔ）以下になる。
【０１１２】
この場合において、第２ノード（ＷＳＬ１）６６１および第２ノード（ＷＳＬｊ）６６３の電位は、細い点線によりそれぞれ示されている電位に徐々に近づいていく。また、第２ノード（ＷＳＬ１）６６１における太い点線に示される電位と細い点線により示される電位との電位差は、第２ノード（ＷＳＬｊ）６６３における電位差と比べて徐々に小さくなっていく。これにより、各行ごとに異なる消光期間によって生じる第２ノード（ＷＳＬ１）６６１および第２ノード（ＷＳＬｊ）６６３における発光素子６４０の発光量が増大することになる。ここで、第２ノード（ＷＳＬ１）６６１および第２ノード（ＷＳＬｊ）６６３における発光素子６４０の発光量の増大による影響について次図のシミュレーション結果を参照して説明する。
【０１１３】
図１５は、本発明の第１の実施の形態における第２ノード（ＷＳＬ１）６６１および第２ノード（ＷＳＬｊ）６６３における発光素子６４０の発光量に関する図である。図１５（ａ）は、第２ノード（ＷＳＬ１）６６１および第２ノード（ＷＳＬｊ）６６３の消光期間ＴＰ２において発光素子６４０に供給される電流に関する特性をＲＣモデルに基づいて算出した結果の一例を示す図である。この例では、電源線（ＤＳＬ）４１１を共用する画素６００における最下段（ｊ）の行を４８行としている。また、４８行目の画素６００における消光期間ＴＰ２の開始直後に、電源線（ＤＳＬ）４１１の電源信号を高レベル電源電位（Ｖｃｃ＿Ｈ）に切り替えた場合を想定している。
【０１１４】
ここでは、実線により電流特性７１１および７２１が示され、破線により電流特性７１２および７２２が示されている。また、横軸を消光期間とし、縦軸を発光素子６４０に供給される電流値としている。
【０１１５】
実線により示された電流特性７１１および７２１は、電源線（ＤＳＬ）４１１の電源信号を高レベル電源電位（Ｖｃｃ＿Ｈ）に切り替えることによって、第２ノード（ＷＳＬ１および４８）６６１および６６３の電位を上昇させた場合における電流特性である。破線により示された電流特性７１２および７２２は、電源線（ＤＳＬ）４１１の電源信号を高レベル電源電位（Ｖｃｃ＿Ｈ）に切り替えない場合における第２ノード（ＷＳＬ１および４８）６６１および６６３の電流特性である。
【０１１６】
図１５（ｂ）は、図１５（ａ）に示した電流特性７１１および７２１の積分値に関する比率と電流特性７１２および７２２の積分値に関する比率との比較結果を示す図である。
【０１１７】
１行目の積分値７３１には、図１５（ａ）に示したＷＳＬ１積分範囲における電流特性７１１および７１２の積分値が示されている。４８行目の積分値７３２には、図１５（ａ）に示したＷＳＬ４８積分範囲における電流特性７２１および７２２の積分値が示されている。この１行目および４８行目の積分値７３１および７３２は、第２ノード（ＷＳＬ１および４８）６６１および６６３の消光期間における発光素子６４０の発光量に相当する。
【０１１８】
差分比率７３３には、１行目の積分値７３１から４８行目の積分値７３２を減じた値を、１行目の積分値７３１により除算することによって算出される値が示されている。この差分比率７３３の値が小さいほど、表示画面に生じるグラデーションが緩和されることになる。
【０１１９】
電流特性７４０の高レベル電源電位（切替Ｖｃｃ＿Ｈ）無しの欄には、図１５（ａ）に示した電流特性７１２および７２２の積分値が示されている。電流特性７４０の高レベル電源電位（切替Ｖｃｃ＿Ｈ）有りの欄には、図１５（ａ）に示した電流特性７１１および７２１の積分値が示されている。
【０１２０】
このように、１行目の積分値７３１および４８行目の積分値７３２を大きくすることにより、差分比率７３３が「２．２％」から「１．２％」に小さくなる。これは、差分比率７３３の分子となる１行目および４８行目の積分値７３１および７３２の差は殆ど変わらないが、差分比率７３３の分母となる１行目の積分値７３１が大きくなるからである。こように、差分比率７３３が小さくなることから、表示画面におけるグラデーションが緩和される。すなわち、４８行目の画素６００における消光期間ＴＰ２において第２ノード（ＷＳＬ１および４８）６６１および６６３に対応する発光素子６４０に供給するそれぞれの電流を大きくすることにより、表示画像におけるグラデーションを軽減させることができる。
【０１２１】
このように、本発明の第１の実施の形態では、ＷＳＬｊ消光期間において電源線（ＤＳＬ）４１１の電源信号を高レベル電源電位（Ｖｃｃ＿Ｈ）に切り替えることによって、第２ノード（ＷＳＬ１およびｊ）６６１および６６３の電位を上昇させることができる。すなわち、ＷＳＬｊ消光期間において電源信号を高レベル電源電位（Ｖｃｃ＿Ｈ）に切り替えることによって、電源線（ＤＳＬ）４１１に接続された複数行の画素６００における第２ノード（ＮＤ２）６６０の電位を一時的に上昇させることができる。
【０１２２】
これにより、１本の電源線に接続された複数行の画素６００における発光素子６４０の発光量を増大させることができるため、表示画像におけるグラデーションを軽減させることができる。また、電源信号を高レベル電源電位（Ｖｃｃ＿Ｈ）に切り替えるタイミングとしては、走査線（ＷＳＬｊ）２１３における消光期間ＴＰ２の開始直後であることが望ましい。これは、カップリングを受けるときの第２ノード（ＷＳＬｊ）６６３の電位が高いほど、第２ノード（ＷＳＬ１乃至ｊ）６６１乃至６６３における発光素子６４０の発光量の増加量が大きくなるからである。
【０１２３】
このように、本発明の第１の実施の形態によれば、複数行の画素ごとに同一の電源信号を供給する場合であっても、消光期間において電源信号を高レベル電源電位（Ｖｃｃ＿Ｈ）に切り替えることにより、表示画像に現われるグラデーションを軽減することができる。これにより、入力画像の再現性を維持しつつ、電源スキャナ（ＷＳＣＮ）４００のドライバ数の削減によりコストの低減を図ることができる。
【０１２４】
ここで、本発明の第１の実施の形態においては、最下段の画素６００における消光期間ＴＰ２の開始後に電源線（ＤＳＬ）４１１の電源信号を高レベル電源電位（Ｖｃｃ＿Ｈ）に切り替えることによって、グラデーションを軽減させることを想定した。しかしながら、この電源信号の電位を切り替えるタイミングはこれに限定されるものではなく、別のタイミングにおいて切り替えることによって、さらにグラデーションを軽減させることができる。そこで、本発明の第２の実施の形態では、グラデーションにおける輝度の急激な変化を軽減する例について図１６乃至１８を用いて説明する。
【０１２５】
＜２．第２の実施の形態＞
［画素の動作の例］
図１６は、本発明の第２の実施の形態における画素６００の動作の一例に関するタイミングチャートである。この例では、発光期間の間に電源信号が高レベル電源電位（Ｖｃｃ＿Ｈ）に設定される画素６００の動作例について説明する。ここでは、横軸を共通の時間軸として、電源線（ＤＳＬ）４１０、データ線（ＤＴＬ）３１０、走査線（ＷＳＬ）２１０、第１ノード（ＮＤ１）６５０および第２ノード（ＮＤ２）６６０の電位変化が示されている。ここで、電源線（ＤＳＬ）４１０、第１ノード（ＮＤ１）６５０および第２ノード（ＮＤ２）６６０の電位変化以外は、図１３において示された例と略同様であるため、ここでの説明を省略する。また、細い点線により示されている第２ノード（ＮＤ２）６６０の電位変化は、図１０において太い点線により示した第２ノード（ＮＤ２）６６０の電位変化である。また、太い点線により示されている第２ノード（ＮＤ２）６６０の電位変化は、本発明の第２の実施の形態における第２ノード（ＮＤ２）６６０の電位変化である。
【０１２６】
この図１６では、画素６００に供給される駆動電流（図示せず）および第２ノード（ＮＤ２）６６０の電位変化に着目して説明する。まず、発光期間ＴＰ８において、電源線（ＤＳＬ）４１０の電源信号の電位が高レベル電源電位（Ｖｃｃ＿Ｈ）に切り替えられる。この電源信号の電位の上昇により、駆動トランジスタ６２０のドレイン端子の電位が上昇し、アーリー効果の影響による駆動電流（Ｉｄｓ）の電流量の増加が起こる。ここで、アーリー効果とは、飽和領域内で動作しているトランジスタにおいて、ドレイン−ソース間電圧（Ｖｄｓ）が変化すると駆動電流（Ｉｄｓ）も変化してしまうトランジスタの特性に起因する効果である。この電流量が増加した駆動電流（Ｉｄｓ）が発光素子６４０に供給されることにより、発光期間ＴＰ８における輝度が増加する。
【０１２７】
また、図１３の消光期間ＴＰ２と同様に、駆動トランジスタ６２０のゲート端子（ｇ）とドレイン端子（ｄ）との間の寄生容量を介した容量性カップリングの影響により、電源信号の電位の上昇に伴って第１ノード（ＮＤ１）６５０の電位が「Ｖｐ」ほど上昇する。そして、この第１ノード（ＮＤ１）６５０の電位の上昇に倣って、第２ノード（ＮＤ２）６６０の電位も、保持容量６３０を介したカップリングの影響により上昇する。ただし、発光素子６４０の寄生容量６４１の影響などにより、第２ノード（ＮＤ２）６６０の電位の上昇量は、第１ノード（ＮＤ１）６５０の上昇量「Ｖｐ」より低い電位差「Ｖｐ'」となる。これにより、保持容量６３０に保持されている電圧は、図９（ｃ）において説明したブートストラップ動作により、保持された電圧「Ｖｇｓ１（Ｖｓｉｇ−Ｖｏｆｓ＋Ｖｔｈ−ΔＶ）」より大きい電圧「Ｖｇｓ２」が保持される。これにより、発光素子６４０に供給される駆動電流（Ｉｄｓ）の電流量が増加する。
【０１２８】
このように、アーリー効果の影響による駆動電流（Ｉｄｓ）の電流量の増加と、保持容量６３０に保持されている電圧の増加とに起因して、消光期間ＴＰ１が開始されるまで画素６００の輝度の増加状態が継続する。
【０１２９】
この後、走査線（ＷＳＬ）２１０の制御信号が第１オフ電位（Ｖｏｆｆ１）からオン電位（Ｖｏｎ）に切り替えられて、消光期間ＴＰ１が開始される。この消光期間ＴＰ１以降は、図１０において示した電位変化と同様のものであるので、ここでの説明は省略する。
【０１３０】
このように、発光期間ＴＰ８において、電源線（ＤＳＬ）４１０の電位を電源電位（Ｖｃｃ）から高レベル電源電位（Ｖｃｃ＿Ｈ）に切り替えることによって、発光期間ＴＰ８における輝度を増加させることができる。
【０１３１】
［高レベル電源電位の供給タイミングの例］
図１７は、本発明の第２の実施の形態における高レベル電源電位（Ｖｃｃ＿Ｈ）の供給タイミングの一例に関するタイミングチャートである。
【０１３２】
ここでは、横軸を共通の時間軸として、電源線（ＤＳＬ）４１１、データ線（ＤＴＬ）３１０、走査線（ＷＳＬ１）２１１、走査線（ＷＳＬｊ−１）２１６および走査線（ＷＳＬｊ）２１３の電位変化が示されている。また、ここには、第２ノード（ＷＳＬ１）６６１、第２ノード（ＷＳＬｊ−１）６６６および第２ノード（ＷＳＬｊ）６６３については、本発明の第２の実施の形態における電位変化が太い点線により示されている。また、電源線（ＤＳＬ）４１１の電源信号を高レベル電源電位（Ｖｃｃ＿Ｈ）に切り替えない場合における第２ノード（ＷＳＬ１）６６１、第２ノード（ＷＳＬｊ−１）６６６および第２ノード（ＷＳＬｊ）６６３の電位変化が細い点線により示されている。
【０１３３】
なお、データ線（ＤＳＬ）３１０の電位変化は、図１３において示したものと同様であるため、ここでの説明を省略する。また、走査線（ＷＳＬ１）２１１および走査線（ＷＳＬｊ）２１３の電位変化は、図１４において示したものと同様のものであるため、ここでの説明を省略する。
【０１３４】
走査線（ＷＳＬｊ−１）２１６は、電源線が共有されている走査線（ＷＳＬ１からＷＳＬｊ）のうち最下段の走査線（ＷＳＬｊ）２１３の１つ前の走査線である。この走査線（ｊ−１）２１６に接続された画素６００における消光期間がＷＳＬｊ−１消光期間として示されている。また、この走査線（ｊ−１）２１６に接続された画素６００の消光期間における第２ノード（ＮＤ２）６５０の電位変化が、第２ノード（ＷＳＬｊ−１）６６６として示されている。
【０１３５】
この図１７では、電源線（ＤＳＬ）４１１の電源信号の電位を高レベル電源電位（Ｖｃｃ＿Ｈ）に切り替えるタイミングに着目して説明する。まず、ＷＳＬ１消光期間において、走査線（ＷＳＬ１）２１１の制御信号が一時的にオン電位（Ｖｏｎ）に遷移する。これにより、図１０で説明したように、第２ノード（ＷＳＬ１）６６１の電位は保持容量６３０などの放電により徐々に低下していく。その後、ＷＳＬｊ−１消光期間の開始と同時に、走査線（ＷＳＬｊ−１）２１６の制御信号が一時的にオン電位（Ｖｏｎ）に遷移することにより、第２ノード（ＷＳＬｊ−１）６６６の電位は緩やかに低下する。
【０１３６】
そして、走査線（ＷＳＬｊ）２１３の制御信号がオン電位（Ｖｏｎ）に切り替えられる前において、電源線（ＤＳＬ）４１１の電源信号が電源電位（Ｖｃｃ）から高レベル電源電位（Ｖｃｃ＿Ｈ）に切り替えられる。この電源信号が高レベル電源電位（Ｖｃｃ＿Ｈ）に切り替えられる期間は、図１７において期間Ｐ１と示した期間である。すなわち、本発明の第２の実施の形態では、走査線（ＷＳＬｊ−１）２１６におけるオン電位（Ｖｏｎ）の供給開始から走査線（ＷＳＬｊ）２１３におけるオン電位（Ｖｏｎ）の供給開始までの期間（期間Ｐ１）において、電源信号の電位が切り替えられる。
【０１３７】
このとき、走査線（ＷＳＬｊ）２１３が接続される画素６００の状態は、発光期間ＴＰ８における発光状態である。このため、高レベル電源電位（Ｖｃｃ＿Ｈ）の供給開始からＷＳＬｊ消光期間の開始まで、走査線（ＷＳＬｊ）２１３が接続される画素６００の輝度は、高レベル電源電位（Ｖｃｃ＿Ｈ）の供給前の発光期間の輝度より大きくなる。これにより、走査線（ＷＳＬｊ）２１３が接続される画素６００の発光期間における輝度が増加する。なお、期間Ｐ１において、高レベル電源電位（Ｖｃｃ＿Ｈ）への遷移のタイミングが走査線（ＷＳＬｊ−１）２１６のオン電位（Ｖｏｎ）の供給開始に近いタイミングであるほど、走査線（ＷＳＬｊ）２１３が接続される画素６００の輝度は大きく増加する。
【０１３８】
また、電源信号の電位が高レベル電源電位（Ｖｃｃ＿Ｈ）に切り替える際には、走査線（ＷＳＬ１）２１１から走査線（ＷＳＬｊ−１）２１６までの走査線が接続されている画素６００は、既に消光期間である。このため、これらの画素６００では、図１３に示すように第２ノード（ＮＤ２）の電位が増加することによって、消光期間における発光素子６４０の輝度が増加する。
【０１３９】
その後、走査線（ＷＳＬｊ）２１３の制御信号が一時的にオン電位（Ｖｏｎ）に遷移する。これにより、図１０において説明したように、第２ノード（ＷＳＬｊ）６６３の電位は保持容量６３０などの放電により徐々に低下していく。なお、第２ノード（ＷＳＬｊ）６６３の電位は、電源信号の電位が高レベル電源電位（Ｖｃｃ＿Ｈ）に切り替える前よりも大きくなっている。このため、走査線（ＷＳＬｊ）２１３が接続される画素６００の消光期間における発光素子６４０の輝度も、高レベル電源電位（Ｖｃｃ＿Ｈ）に切り替えない場合における輝度より増加する。
【０１４０】
このように、期間Ｐ１において電源線（ＤＳＬ）４１１の電位を高レベル電源電位（Ｖｃｃ＿Ｈ）に遷移させることにより、電源線を共有する走査線の最下段の走査線が供給される画素６００の発光期間における輝度を増加させることができる。また、この場合において、電源線を共有する走査線（ＷＳＬ１乃至ＷＳＬｊ）の走査線が接続されている画素６００では、本発明の第１の実施の形態と同様に、消光期間における輝度を増加させることができる。すなわち、本発明の第２の実施の形態では、走査線（ＷＳＬｊ）２１３が接続されている画素６００の輝度の増加量を、他の走査線（ＷＳＬ１乃至ＷＳＬｊ−１）が接続されている画素６００の輝度の増加量よりも大きくすることができる。
【０１４１】
［表示画面に表示される輝度の例］
図１８は、本発明の第２の実施の形態における表示画面に表示される輝度と走査線との関係の一例を示す図である。この図は、横軸を走査線を示す軸とし、縦軸を輝度値（発光期間ＴＰ８、消光期間ＴＰ１乃至２における輝度の総量）を示す軸とする輝度特性のグラフを示す。すなわち、図１８（ａ）乃至（ｃ）に示すグラフは、図１１（ｂ）および（ｃ）において示したグラフに対応するグラフである。なお、便宜上、画素６００に供給される映像信号は全て同じ階調のものとする。
【０１４２】
図１８（ａ）には、図１１（ｃ）と同様に、高レベル電源電位（Ｖｃｃ＿Ｈ）を供給しない表示装置１００における輝度特性が示されている。
【０１４３】
走査線ＷＳＬ１に対応する輝度値８１１は、走査線（ＷＳＬ１）が接続されている画素６００における輝度値である。また、輝度値８１２、８２１および８２２もそれぞれ対応する走査線（ＷＳＬｊ）、走査線（ＷＳＬｊ+１）および走査線（ＷＳＬ２ｊ）が接続されている画素６００における輝度値である。なお、輝度値８１１から輝度値８１２までの各輝度値を示す各白丸（点線の直線８１０上に配置されている各白丸）は、走査線（ＷＳＬ１）から走査線（ＷＳＬｊ）までのそれぞれの走査線が接続される画素６００における輝度値である。また、輝度値８２１から輝度値８２２までの各輝度値を示す各白丸（点線の直線８２０上に配置されている各白丸）は、走査線（ＷＳＬｊ＋１）から走査線（ＷＳＬ２ｊ）までのそれぞれの走査線が接続される画素６００における輝度値である。また、走査線（ＷＳＬ１）から走査線（ＷＳＬｊ）までの走査線が接続される画素６００と、走査線（ＷＳＬｊ＋１）から走査線（ＷＳＬ２ｊ）までの走査線が接続される画素６００とは異なる電源線を共有しているものとする。すなわち、走査線（ＷＳＬ１）から走査線（ＷＳＬｊ）までの走査線が接続される画素６００と、走査線（ＷＳＬｊ＋１）から走査線（ＷＳＬ２ｊ）までの走査線が接続される画素６００とは別のグループの画素６００であるものとする。なお、図１８（ａ）乃至（ｃ）に示すグラフ上における走査線（ＷＳＬ１乃至ＷＳＬ２ｊ）および各輝度値は、説明の容易のため、簡略化して表した値であり、実際の表示装置１００における値を示すものではない。
【０１４４】
また、Ｌ１は、高レベル電源電位（Ｖｃｃ＿Ｈ）を供給しない表示装置１００において、最も高い輝度となる画素６００の輝度値と、最も低い輝度となる画素６００の輝度値との間の輝度の差分値を示しているものとする。なお、図１８（ａ）では、最も高い輝度となる画素６００の輝度値は、電源線を共有する走査線のうち最上段の走査線（輝度値８１１および８２１）である。また、最も低い輝度となる画素６００の輝度値は、電源線を共有する走査線のうち最下段の走査線（輝度値８１２および８２２）である。
【０１４５】
このように、電源線を共有することによって、電源線を共有する走査線のうち最上段の走査線による輝度は最も高くなり、最下段の走査線による輝度は最も低くなるグラデーションが生じる。この場合において、電源線を共有する走査線の境界（輝度値８１２と輝度値８２１との境界）では、最も高い輝度値と最も低い輝度値との差分値Ｌ１だけ輝度値が変化する。この変化は、グラデーションの境界であるとともに急激な輝度の変化であるため、ユーザーに視認されやすい輝度の変化となる。
【０１４６】
図１８（ｂ）には、本発明の第１の実施の形態における輝度値が示されている。ここでは、輝度値８３１は、図１８（ａ）における輝度値８１１と同様に、走査線（ＷＳＬ１）が接続されている画素６００による輝度である。また、輝度値８３２、８４１および８４２などもそれぞれ対応する輝度値８１２、８２１および８２２と同様であるため、詳細な説明を省略する。ここでは、図１８（ａ）との違いについて着目して説明する。
【０１４７】
Ｌ２は、本発明の第１の実施の形態における最も高い輝度となる画素６００の輝度値（輝度値８３１および８４１）と、最も低い輝度となる画素６００の輝度値（輝度値８３２および８４２）との間の輝度の差分値を示している。
【０１４８】
この図１８（ｂ）に示すように、本発明の第１の実施の形態では、高レベル電源電位（Ｖｃｃ＿Ｈ）を供給しない表示装置１００と比較して、電源線を共有する走査線の最上段と最下段との輝度の差分値（Ｌ２）が小さくなっている。すなわち、本発明の第１の実施の形態では、画素６００における輝度の差分値を減少させることにより、グラデーションを軽減することができる。
【０１４９】
しかしながら、電源線を共有する走査線の境界（輝度値８３２と輝度値８４１との境界）では、高レベル電源電位（Ｖｃｃ＿Ｈ）を供給しない表示装置１００と同様に、最も高い輝度値と最も低い輝度値との差分値Ｌ２だけ輝度が変化する。そのため、グラデーションの緩和の度合いによっては、この境界がユーザーに視認されることを防止することが重要となる。
【０１５０】
図１８（ｃ）には、本発明の第２の実施の形態における輝度値が示されている。ここでは、輝度値８５１は、図１８（ｂ）に示す輝度値８３１と同様に、走査線（ＷＳＬ１）が接続されている画素６００による輝度である。また、輝度値８５３、８６１および８６３もそれぞれ、図１８（ｂ）に示す輝度値８３２、８４１および８４２と同様である。このため、これらの詳細な説明を省略する。輝度値８５２は、電源線が共有されている画素６００のうち最下段の１つ前の走査線（ＷＳＬｊ−１）が接続されている画素６００における輝度値である。同様に、輝度値８６２は、電源線が共有されている画素６００のうち最下段の１つ前の走査線（ＷＳＬ２ｊ−１）が接続されている画素６００における輝度値である。
【０１５１】
また、Ｌ３は、本発明の第２の実施の形態における最も高い輝度となる画素６００の輝度値（輝度値８５１および８６１）と、最も低い輝度となる画素６００の輝度値（輝度値８５２および８５２）との間の輝度の差分値を示している。また、Ｌ４は、最も高い輝度値（輝度値８５１および８６１）と、電源線が共有されている画素６００のうち最下段の１つ前の走査線に対応する輝度値（輝度値８５３および８６３）との輝度の差分値を示している。
【０１５２】
この図１８（ｃ）において、電源線が共有される走査線のうちの最下段の走査線が接続される画素６００は、発光期間である間に電源線（ＤＳＬ）４１１の電位が高レベル電源電位（Ｖｃｃ＿Ｈ）に遷移したことにより、発光期間における輝度が増加する。このことによって、この最下段の走査線が接続される画素６００は、最下段の１つ前の走査線が接続される画素６００よりも輝度値が高くなる。これにより、最下段の走査線が接続される画素６００における輝度値を、電源線が共有される画素６００のうちの最も低い輝度よりも高い値とすることができる。すなわち、最下段の走査線が接続される画素６００における輝度値は、輝度値８５３および８６３のように、最も低い輝度と最も高い輝度との間の輝度値になる。なお、この図１８（ｃ）では、輝度値８５３および８６３は、最も高い輝度値よりも差分値Ｌ４だけ低い値を想定している。また、この例では、電源線が共有される走査線のうちの最下段の１つ前の走査線が接続される画素６００による輝度値８５２および８５３が、電源線が共有される画素６００のうちの最も低い輝度値になる。
【０１５３】
このように、電源線が共有される走査線のうちの最下段の走査線に関する輝度が上昇すると、グラデーションとなる輝度の差分値は差分値Ｌ３となる。また、輝度値８５３が、輝度値８５２と輝度値８６１との間の値となるため、本発明の第１の実施の形態と比較して、グラデーションの境界付近における最も低い輝度から最も高い輝度への急激な変化が緩和される。すなわち、本発明の第２の実施の形態によれば、本発明の第１の実施の形態における効果にグラデーションの境界が視認されにくくなる効果が加わり、グラデーションの視認をさらに軽減させることができる。
【０１５４】
このように、本発明の第２の実施の形態によれば、グループ間における輝度の急激な変化を緩和すると、グラデーションの境界を視認されにくくすることによって、表示画面におけるグラデーションの視認を軽減させることができる。
【０１５５】
ここで、期間Ｐ１よりも前の発光期間において、電源電位（Ｖｃｃ）から高レベル電源電位（Ｖｃｃ＿Ｈ）への切替えを行うと、輝度が急激に変化する変曲点が増加してしまう可能性がある。そこで、本発明の第２の実施の形態では、期間Ｐ１において電源電位（Ｖｃｃ）を高レベル電源電位（Ｖｃｃ＿Ｈ）に切り替える例を示した。ただし、輝度が急激に変化する変曲点が増加しないように高レベル電源電位（Ｖｃｃ＿Ｈ）の電位を調節することによって、期間Ｐ１より前の期間において電源電位（Ｖｃｃ）から高レベル電源電位（Ｖｃｃ＿Ｈ）への切替えを行うようにしてもよい。例えば、図１７において示すＷＳＬ１消光期間の開始時点からＷＳＬｊ−１消光期間の開始時点までの区間において、高レベル電源電位（Ｖｃｃ＿Ｈ）への切替えを行うようにしてもよい。すなわち、電源線を共有する複数の走査線のうち最下段の走査線（ＷＳＬｊ）から所定数（Ｎ）前の走査線における制御信号の一時的なオン電位（Ｖｏｎ）への遷移が行われた後に、高レベル電源電位（Ｖｃｃ＿Ｈ）への切替えを行うようにしてもよい。これにより、最下段の走査線（ＷＳＬｊ）の「Ｎ−１」本前の走査線から最下段の走査線（ＷＳＬｊ）までの走査線が接続された画素６００の輝度値を増加させることができる。
【０１５６】
また、例えば、走査線（ＷＳＬ１）乃至（ＷＳＬｊ）が接続される画素６００の発光期間における輝度値を、消光期間における輝度差を打ち消すように徐々に増加させることによって、グラデーションを軽減させる方法が考えられる。この方法は、例えば、電源線（ＤＳＬ）４１０の電位の高レベル電源電位（Ｖｃｃ＿Ｈ）への切り替えを、走査線（ＷＳＬ１）が接続される画素６００の消光期間の開始後から徐々に上昇させていくことにより行うことができる。
【０１５７】
なお、本発明の第１および第２の実施の形態における表示装置は、フラットパネル形状を有し、様々な電子機器、例えば、デジタルカメラ、ノート型パーソナルコンピュータ、携帯電話、ビデオカメラなどのディスプレイに適用することができる。また、電子機器に入力された映像信号や電子機器内で生成した映像信号を画像または映像として表示するあらゆる分野の電子機器のディスプレイに適用することができる。このような表示装置が適用された電子機器の例を以下に示す。
【０１５８】
＜３．第３の実施の形態＞
［電子機器への適用例］
図１９は、本発明の第３の実施の形態におけるテレビジョンセットの例である。このテレビジョンセットは、本発明の第１および第２の実施の形態が適用されたテレビジョンセットである。このテレビジョンセットは、フロントパネル１２、フィルターガラス１３等から構成される映像表示画面１１を含み、本発明の第１および第２の実施の形態における表示装置をその映像表示画面１１に用いることにより作製される。
【０１５９】
図２０は、本発明の第３の実施の形態におけるデジタルスチルカメラの例である。このデジタルスチルカメラは、本発明の第１および第２の実施の形態が適用されたデジタルスチルカメラである。ここでは、上にデジタルスチルカメラの正面図を示し、下にデジタルスチルカメラの背面図を示す。このデジタルスチルカメラは、撮像レンズ１５、表示部１６、コントロールスイッチ、メニュースイッチ、シャッター１９等を含み、本発明の第１および第２の実施の形態における表示装置をその表示部１６に用いることにより作製される。
【０１６０】
図２１は、本発明の第３の実施の形態におけるノート型パーソナルコンピュータの例である。このノート型パーソナルコンピュータは、本発明の第１および第２の実施の形態が適用されたノート型パーソナルコンピュータである。このノート型パーソナルコンピュータは、本体２０には文字等を入力するとき操作されるキーボード２１を含み、本体カバーには画像を表示する表示部２２を含む。このノート型パーソナルコンピュータは、本発明の第１および第２の実施の形態における表示装置をその表示部２２に用いることにより作製される。
【０１６１】
図２２は、本発明の第３の実施の形態における携帯端末装置の例である。この携帯端末装置は、本発明の第１および第２の実施の形態が適用された携帯端末装置である。ここでは、左側に携帯端末装置の開いた状態を示し、右側に携帯端末装置の閉じた状態を示している。この携帯端末装置は、上側筐体２３、下側筐体２４、連結部（ここではヒンジ部）２５、ディスプレイ２６、サブディスプレイ２７、ピクチャーライト２８、カメラ２９等を含む。また、この携帯端末装置は、本発明の第１および第２の実施の形態における表示装置をそのディスプレイ２６やサブディスプレイ２７に用いることにより作製される。
【０１６２】
図２３は、本発明の第３の実施の形態におけるビデオカメラの例である。このビデオカメラは、本発明の第１および第２の実施の形態が適用されたビデオカメラである。このビデオカメラは、本体部３０、前方を向いた側面に被写体撮影用のレンズ３４、撮影時のスタート／ストップスイッチ３５、モニター３６等を含み、本発明の第１および第２の実施の形態における表示装置をそのモニター３６に用いることにより作製される。
【０１６３】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【符号の説明】
【０１６４】
１００  表示装置
２００  ライトスキャナ
２０１〜２０５  ドライバ
２１０〜２１５  走査線
３００  水平セレクタ
３１０〜３１３  データ線
３２１〜３２３  切替制御線
３５１〜３５３、３６１〜３６３、３７１〜３７３  切替回路
３９１  基準信号線
３９２  消光信号線
４００  電源スキャナ
４０１〜４０３  ドライバ
４１０〜４１３  電源線
４２１および４２３  ｐ型トランジスタ
４２２  ｎ型トランジスタ
４３１〜４３３  制御信号線
４９１〜４９３  固定電位線
５００  画素アレイ部
６００  画素
６１０  書込みトランジスタ
６２０  駆動トランジスタ
６３０  保持容量
６４０  発光素子
６４１  寄生容量
【図１】
2010250267.tif 000003
【図２】
2010250267.tif 000004
【図３】
2010250267.tif 000005
【図４】
2010250267.tif 000006
【図５】
2010250267.tif 000007
【図６】
2010250267.tif 000008
【図７】
2010250267.tif 000009
【図８】
2010250267.tif 000010
【図９】
2010250267.tif 000011
【図１０】
2010250267.tif 000012
【図１２】
2010250267.tif 000013
【図１３】
2010250267.tif 000014
【図１４】
2010250267.tif 000015
【図１５】
2010250267.tif 000016
【図１６】
2010250267.tif 000017
【図１７】
2010250267.tif 000018
【図１８】
2010250267.tif 000019
【図１９】
2010250267.tif 000020
【図２０】
2010250267.tif 000021
【図２１】
2010250267.tif 000022
【図２２】
2010250267.tif 000023
【図２３】
2010250267.tif 000024
【図１１】
2010250267.tif 000025